(57)【要約】【課題】内部に所定の範囲サイズにおける飲料容器１５１の固定と、内部に固定した当該飲料容器１５１の保温と、を両立する飲料容器保温具を提供する。【解決手段】上端部に開口を有し、下端部に底部を含み、断熱構造を有する略筒状のケースと、窓部を有する天板及び略筒状の側壁を含み、前記ケースに脱着可能な蓋と、を具備し、前記開口から前記ケースの内部に挿入した飲料容器を、前記飲料容器の容器上方部が前記窓部から外部に出た状態で保持することができること、を特徴とする飲料容器保温具。【選択図】図１
2018000773.tif 000002
【特許請求の範囲】
【請求項１】
上端部に開口を有し、下端部に底部を含み、断熱構造を有する略筒状のケースと、
窓部を有する天板及び略筒状の側壁を含み、前記ケースに脱着可能な蓋と、を具備し、
前記開口から前記ケースの内部に挿入した飲料容器を、前記飲料容器の容器上方部が前記窓部から外部に出た状態で保持することができること、
を特徴とする飲料容器保温具。
【請求項２】
前記ケースの底部内側に、前記飲料容器に対して下方から上方に弾性力を印加する弾性部材を具備すること、
を特徴とする請求項１に記載の飲料容器保温具。
【請求項３】
前記ケースの側壁内側に、前記飲料容器に対して側面から押圧する突起部を具備すること、
を特徴とする請求項１又は２に記載の飲料容器保温具。
【発明の詳細な説明】
【技術分野】
【０００１】
本発明は、ペットボトル等における飲料容器を内部に固定しつつ保温可能な飲料容器保温具に関する。
【背景技術】
【０００２】
近年、市販に用いられる飲料容器は、製造においては充填や密閉の作業性に優れ、販売においては移動や陳列等の取り扱い性に優れ、使用においては再密閉等の利便性に優れることから、主にポリエチレンテレフタラートを用いて形成されたペットボトルが主流となっている。上述のとおり、当該ペットボトルは販売用の容器としての役割だけではなく、使用者が当該飲料を飲用する際における略水筒的な使用もできるため、大変重宝されている。
【０００３】
ペットボトルは、主に低コスト化及び軽量化の観点から薄厚に形成されている。従って、内部に充填された飲料と、外気と、は容易に熱交換を行うため、ペットボトルに保温性はない。従来、ペットボトルの内容物を断熱性に優れた水筒に移し替えて保温することが行われているが、衛生面が重要視される昨今においては、水筒の内面を洗浄する必要性や特に暑い時期における内容物の劣化や腐食を考慮すると、このような水筒を使用するのは好ましくない。
【０００４】
内容物の移し替えを必要としないペットボトルの保温具として、内側にアルミの蒸着シート等を備えた布製のカバーが用いられており、当該カバーをペットボトルに被覆することによって内部の飲料と、外気と、における熱交換を抑制し、保温を可能としている。また、例えば、特許文献１（特開２０００−８２６５４号公報）においては、ペットボトルのサイズに対応して形状を変化し、内部に収納しつつ保温可能な収納容器が開示されている。
【先行技術文献】
【特許文献】
【０００５】
【特許文献１】特開２０００−８２６５４号公報
【発明の概要】
【発明が解決しようとする課題】
【０００６】
しかしながら、上記従来の保温具では、ペットボトルと、外気と、における接触を効果的に遮断することができず、僅かな熱交換の抑制を行うことしかできなかった。また、特許文献１に開示された収納容器においては、所定の範囲サイズにおけるペットボトルを収納可能ではあるもの、収納容器を構成するケース体が伸縮可能な構造を有するため、ペットボトルと、収納容器と、の間における断熱用の空気層が真空性を有しておらず、高い保温性を兼ね備えることができない問題があった。
【０００７】
ここでペットボトルの収納容器における構造に着目すると、ペットボトルの収納部となるケース体を略入れ子状に構成して伸縮させることにより所定の範囲サイズにおけるペットボトルに対応している。このため、当該ケース体と、ペットボトルと、の間に位置する断熱用の空気層が、ケース体の入れ子状を構成した接触部から外部と連通しており、空気層の空気が外部に移動してしまうため、保温性の観点から未だ改善の余地があった。
【０００８】
そこで、本発明は、上記問題に鑑みて創作されたものであり、内部に所定の範囲サイズにおける飲料容器１５１の固定と、内部に固定した当該飲料容器１５１の保温と、を両立する飲料容器保温具を提供することを目的とする。
【課題を解決するための手段】
【０００９】
上記の課題を解決すべく、本発明は、
上端部に開口を有し、下端部に底部を含み、断熱構造を有する略筒状のケースと、
窓部を有する天板及び略筒状の側壁を含み、前記ケースに脱着可能な蓋と、を具備し、
前記開口から前記ケースの内部に挿入した飲料容器を、前記飲料容器の容器上方部が前記窓部から外部に出た状態で保持することができること、
を特徴とする飲料容器保温具を提供する。
【００１０】
このような構成を有する本発明の飲料容器保温具１は、略筒状のケース３と、該ケース３に嵌合してケース３の開口１１を略閉栓可能な蓋５と、から構成されており、ケース３に備えられた中空層２１に飲料容器１５１を挿入し、蓋５を用いてケース３の開口１１を閉栓することで本飲料容器保温具１内部に飲料容器１５１を固定することができる。また、蓋５は飲料容器１５１の容器上方部１５３（飲料の注ぎ口近傍）を挿通可能な窓部１９を有しており、飲料容器１５１の容器上方部１５３のみを本飲料容器保温具１より外部に露出させることが可能である。
【００１１】
また、本発明の飲料容器保温具１は、前記ケースの底部内側に、前記飲料容器に対して下方から上方に弾性力を印加する弾性部材を具備することが望ましい。
【００１２】
このような構成を有する本発明の飲料容器保温具１は、ケース３の底部内側に具備された弾性部材１７により、飲料容器１５１の容器底部１５５を上方に押し上げることで、ケース３の中空部２１と、飲料容器１５１と、における長さ方向のクリアランスを調整することが可能となる。
【００１３】
また、本発明の飲料容器保温具１は、前記ケースの側壁内側に、前記飲料容器に対して側面から押圧する突起部を具備することが望ましい。
【００１４】
このような構成を有する本発明の飲料容器保温具１は、ケース３の側壁内側に具備された突起部１３により、飲料容器１５１の容器側面を押圧することで、ケース３の中空部２１と、飲料容器１５１と、における径方向のクリアランスを調整することが可能となる。
【００１５】
また、本発明の飲料容器保温具１は、前記ケースが、真空層又は発泡ウレタン樹脂層を有する断熱構造を有することが望ましい。
【００１６】
このような構成を有する本発明の飲料容器保温具１は、ケース３の中空部２３に真空層又は発泡ウレタン樹脂層等の断熱層１５を具備することにより、飲料容器１５１と、外気と、における熱交換を遮断し、飲料を保温することができる。
【００１７】
さらに、本発明の飲料容器保温具１は、前記蓋の側壁内側と、前記ケースの開口外側と、が螺子嵌合構造を有することが望ましい。
【００１８】
このような構成を有する本発明の飲料容器保温具１は、ケース３と、蓋５と、の嵌合構造に螺子嵌合を採用することにより、ケース３と、蓋５と、を強固に嵌合することが可能であり、本飲料容器保温具１内部の飲料容器１５１が外部に脱落することを好適に防止することができる。
【図面の簡単な説明】
【００１９】
【図１】本実施形態に係る飲料容器保温具１における概要を示す断面図である。
【図２】ケース３の構造を示した図であって、図２（ａ）は、ケース３を開口１１側から見下げた平面図であって、図２（ｂ）は、図２（ａ）に示す矢視Ａに従って断面視したケース３の断面図である。
【図３】蓋５の構造を示した図であって、図３（ａ）は、天板５Ａを見上げた平面図であって、図３（ｂ）は、図３（ａ）に示す矢視Ｂに従って断面視した蓋５の断面図である。
【図４】本実施形態における飲料容器保温具１に飲料容器１５１を挿入及び固定する手順を示した図であって、図４（ａ）は、本実施形態における飲料容器保温具１を分解する手順を示した模式図であり、図４（ｂ）は、ケース３の中空層２１に飲料容器１５１を挿入する手順を示した模式図である。
【図５】飲料容器１５１に対する突起部１３及び弾性部材１７の作用効果を説明する図であって、図５（ａ）は、飲料容器１５１に対する突起部１３の作用効果を示す模式図であって、図５（ｂ）は、飲料容器１５１に対する弾性部材１７の作用効果を示す模式図である。
【発明を実施するための形態】
【００２０】
以下、本発明に係る飲料容器保温具１の一実施形態を、図１〜図５を参照しながら詳細に説明する。但し、本発明は図示されるものに限られず、また、各図面は本発明を概念的に説明するためのものであるから、理解容易のために、必要に応じて寸法、比又は数を誇張又は簡略化して表している場合もある。更に、以下の説明では、同一又は相当部分には同一符号を付し、重複する説明は省略することもある。
【００２１】
＜飲料容器保温具１の概要＞
図１を用いて本発明の代表的な実施形態に係る飲料容器保温具１における概要を説明する。図１は、本実施形態に係る飲料容器保温具１における概要を示す断面図である。図１に示すとおり、本実施形態の飲料容器保温具１は、合成樹脂で形成されたペットボトル等の飲料容器１５１を保持しつつ被覆し、当該飲料容器１５１に充填された飲料を保温するためのものである。また、本飲料容器保温具１は、現在最も利用頻度が高く、形状の種類が多い略５００ｍｌのペットボトルに幅広く対応したものである。
【００２２】
本実施形態の飲料容器保温具１は、概ね飲料容器１５１を内部に挿入して保持可能なケース３と、該ケース３に挿入された飲料容器１５１を固定しつつ、当該ケース３に嵌合可能な蓋５と、から構成されている。
【００２３】
＜ケース３の構造＞
図２（ａ）及び（ｂ）を用いてケース３について詳細に説明する。図２（ａ）及び（ｂ）は、ケース３の構造を示した図であって、図２（ａ）は、ケース３を開口１１側から見下げた平面図であって、図２（ｂ）は、図２（ａ）に示す矢視Ａに従って断面視したケース３の断面図である。図２（ａ）及び（ｂ）に示すとおり、ケース３は、内部に中空層２１を有した略筒状のケース側壁３Ａを主として構成されており、該ケース側壁３Ａは２つの端部における一方に内部の中空層２１に連通する開口１１を具備し、もう一方の端部には底部３Ｂを具備して閉栓している。
【００２４】
即ち、ケース３は、長手方向における２つの端部のうち、開口１１を有する一方の端部からのみ、外部から内部の中空層２１に通じることができるものであり、当該開口１１を介することで飲料容器１５１を中空層２１に挿入することができるものである。
【００２５】
ケース３は、低温の飲料容器１５１と、外気と、における温度差により発生する結露や、ケース３の洗浄により、水が付着する状況に置かれることが多いため、優れた耐食性を有するステンレスやアルミニウム等の金属材料で構成されることが望ましい。さらに飲料容器１５１の保温性を高めるため、例えば熱伝導性の低いオーステナイト系ステンレスＳＵＳ３０４（Ｎｉ８〜１０．５％及びＣｒを１８〜２０％を含有する組成）等で構成することが望ましい。
【００２６】
ケース側壁３Ａは、開口１１側の所定範囲における表面の外側にケース側螺子３１Ａを具備しており、さらに当該所定範囲の直径は、その他範囲における直径と比して小さく構成されている。これにより、後述する蓋５がケース３と一体的に嵌合することができる。
【００２７】
また、ケース３を構成するケース側壁３Ａ及び底部３Ｂは、内部に断熱層１５を備えている。ケース側壁３Ａ及び底部３Ｂは、内部に中空部２３を有しており、当該中空部２３を密閉した真空層又は当該中空部２３に優れた断熱性を有する発泡ウレタン樹脂を充填した発泡ウレタン樹脂層として構成することが望ましい。このようにケース３が断熱層１５を有することにより、冷却又は加熱された飲料容器１５１の保冷性又は保温性を効果的に向上することができる。
【００２８】
ケース３の内部における中空層２１には、該中空層２１に挿入した飲料容器１５１を把持するための複数の突起部（リブ）１３が備わっている。本実施形態においては、当該突起部１３は、ケース側壁３Ａの中空層２１側において同じ高さに３つ以上が所定の間隔で備わっており、それぞれがケース３の径方向中心に向かって立設している。当該突起部１３により、ケース３内部の中空層２１に挿入した飲料容器１５１を側面から押圧して把持することができる。
【００２９】
さらにケース３の底部３Ｂにおける中空層２１側には、弾性部材１７が備わっており、中空層２１における底部３Ｂ側から開口１１の方向に向かって力を印加するように弾性力を発揮することができる。当該弾性部材１７は、螺旋状に形成されたスプリングや薄板を所定の間隔で折り曲げて形成した板形状のバネ等を用いることが望ましい。当該弾性部材１７により、ケース３の中空層２１内に挿入された飲料容器１５１における容器底部１５５を開口１１側に押圧することができる。
【００３０】
＜蓋５の構造＞
次に、図３（ａ）及び（ｂ）を用いて蓋５について詳細に説明する。図３（ａ）及び（ｂ）は、蓋５の構造を示した図であって、図３（ａ）は、天板５Ａを見上げた平面図であって、図３（ｂ）は、図３（ａ）に示す矢視Ｂに従って断面視した蓋５の断面図である。図３（ａ）及び（ｂ）に示すとおり、蓋５は、天板５Ａ及び側壁５Ｂで構成された略筒状の部品であって、当該天板５Ａは略筒状の側壁５Ｂにおける一方の端部に配設され、さらに、該天板５Ａと同心円の窓部１９を備えている。窓部１９は、本実施形態の飲料容器保温具１に挿入した飲料容器１５１における容器上方部１５３（容器内の飲料取り出し口近傍）を外部に露出させるための孔であり、当該窓部１９によって飲料容器１５１を本飲料容器保温具１に挿入した状態を維持しつつ、飲料を飲料容器１５１から取り出すことが可能となる。
【００３１】
側壁５Ｂは、天板５Ａが配設された端部と異なるもう一方の端部内側に蓋側螺子３１Ｂを具備しており、当該蓋側螺子３１Ｂと、ケース３に具備されたケース側螺子３１Ａと、が螺子嵌合することにより、蓋５と、ケース３と、を一体的に組み合わせることができる。なお、蓋５は、例えばゴムや軟質樹脂などの樹脂材料、金属材料を用いて作成することができる。
＜使用方法＞
【００３２】
以下、図４及び５を用いて、本実施形態における飲料容器保温具１の使用方法について詳細に説明する。図４（ａ）及び（ｂ）は、本実施形態における飲料容器保温具１に飲料容器１５１を挿入及び固定する手順を示した図であって、図４（ａ）は、本実施形態における飲料容器保温具１を分解する手順を示した模式図であり、図４（ｂ）は、ケース３の中空層２１に飲料容器１５１を挿入する手順を示した模式図である。
【００３３】
まず、使用者は本実施形態における飲料容器保温具１を構成するケース３と、蓋５と、をそれぞれ個別に把持したうえで、図４（ａ）に示すとおりケース３と、蓋５と、の接点となる螺子嵌合部３１の螺子嵌合を解除する。具体的には、ケース３が具備するケース側螺子３１Ａと、蓋５が具備する蓋側螺子３１Ｂと、の螺子嵌合を解除する回転方向に対し、螺子の掛りが完全に解除されるまでそれぞれを回転させる。螺子嵌合部３１の螺子嵌合が完全に解除されたことを確認後、ケース３と、蓋５と、を分離させ、好ましくは机やテーブル等における略水平の平面部上に双方を配置する。
【００３４】
次に、図４（ｂ）に示す様に、使用者はケース３の中空層２１に飲料容器１５１を挿入する。具体的には、ケース３と、飲料容器１５１と、の双方における径方向の中心を略同一にした後、当該ケース３の長手方向における一方の端部に設けられた開口１１から、飲料容器１５１の容器底部１５５を中空層２１に挿入する。双方における径方向の中心を略同一にした状態を維持しつつ、飲料容器１５１をケース３の中空層２１における深部へ徐々に挿入を深める。
【００３５】
飲料容器１５１の容器底部１５５がケース３の中空層２１における最深部に配設された弾性部材１７に到達したら飲料容器１５１の挿入を停止し、飲料容器１５１の容器上方部１５３を蓋５の天板５Ａが備える窓部１９に挿通させつつ、ケース３と、蓋５と、を嵌合させる。具体的には、飲料容器１５１の容器上方部１５３を、蓋５における蓋側螺子３１Ｂを具備した端部側から窓部１９に挿通させ、ケース３と、蓋５と、の双方における径方向の中心を略同一にしつつ、ケース側螺子３１Ａと、蓋側螺子３１Ｂと、を当接させる。
【００３６】
続いて、ケース３が具備するケース側螺子３１Ａと、蓋５が具備する蓋側螺子３１Ｂと、の螺子嵌合を固定する回転方向に対し、当該螺子嵌合の緩みが略完全になくなるまでそれぞれを回転させる。この時、ケース３と、蓋５と、の双方における径方向の中心がずれてしまうと、ケース側螺子３１Ａと、蓋側螺子３１Ｂと、の螺子嵌合軸がずれてしまい、双方の螺子山が潰れてしまう。このため、螺子嵌合を固定する際にはケース３と、蓋５と、の双方における径方向の中心を略同一にした状態を維持しつつ、回転させる必要がある。
【００３７】
飲料容器１５１が本実施形態の飲料容器保温具１の内部で容易に動いたり、蓋５と共にケース３から脱落したりしないことが確認出来次第、本実施形態における飲料容器保温具１に対する飲料容器１５１の挿入及び固定手順が完了することになる。
【００３８】
図５（ａ）及び（ｂ）は、飲料容器１５１に対する突起部１３及び弾性部材１７の作用効果を説明する図であって、図５（ａ）は、飲料容器１５１に対する突起部１３の作用効果を示す模式図であって、図５（ｂ）は、飲料容器１５１に対する弾性部材１７の作用効果を示す模式図である。上述において説明したとおり、突起部１３はケース側壁３Ａの中空層２１側において、同じ高さ及び所定の間隔で備わったものであって、それぞれの突起部１３は、ケース３の径方向中心に向かって立設している。
【００３９】
飲料容器１５１は、略同容量の飲料を充填可能なものであっても、各製造メーカにより高さ及び幅等における形状が多少異なる。このため、本実施形態の飲料容器保温具１内部における飲料容器１５１の挿入スペースと、飲料容器１５１と、のクリアランスが、使用する飲料容器１５１によって変化する。本来、当該クリアランスが略一定でなければ、比較的大きなサイズの飲料容器１５１Ａは本飲料容器保温具１に挿入することができず、比較的小さなサイズの飲料容器１５１Ｂは本飲料容器１５１内部で所望の固定ができない。そこで、本実施形態の飲料容器保温具１は、略５００ｍｌの容量となる飲料容器１５１に使用することを前提としたものであり、一般的な略５００ｍｌの容量となる飲料容器１５１のうち、比較的大きなサイズの飲料容器１５１Ａに合わせて本料容器用保温具１内部のスペースを形成している。
【００４０】
また、比較的小さなサイズの飲料容器１５１Ｂについても、突起部１３及び弾性部材１７の押圧は弱まるものの、当該突起部１３及び弾性部材１７が径方向及び長さ方向におけるクリアランスを詰め、所望の固定を達成することができる。
【００４１】
＜径方向の調整＞
図５（ａ）に示すとおり、径方向におけるクリアランスの調整は、比較的大きなサイズの飲料容器１５１Ａをケース３の中空層２１に挿入した場合、ケース３の中空層２１側に備わった複数の突起部１３が当該飲料容器１５１Ａの側面を押圧することにより実現できる。
【００４２】
飲料容器１５１は、主にポリエチレンテレフタラートを用いて薄厚に形成されることから、所定の塑性変形が可能であり、内部に液体（飲料）が充填された状態でも外圧が加わることにより当該外圧に応じて形状変化が発生する。即ち、比較的大きなサイズの飲料容器１５１Ａを使用する場合は、突起部１３が当該飲料容器１５１Ａの側面を押圧して凹ませ、飲料容器１５１Ａの内部側に突起部１３が入り込む。これにより、比較的大きなサイズの飲料容器１５１Ａをケース３の中空層２１に収めることが可能となる。
【００４３】
また、比較的小さなサイズの飲料容器１５１Ｂをケース３の中空層２１に挿入した場合、ケース３の中空層２１側に備わった複数の突起部１３の先端が当該飲料容器１５１Ｂの側面に当接する。即ち、比較的小さなサイズの飲料容器１５１Ｂを使用する場合は、突起部１３の先端が当該飲料容器１５１Ｂの側面に当接して略固定する。これにより、比較的小さなサイズの飲料容器１５１Ｂをケース３の中空層２１に収めることが可能となる。
【００４４】
＜長さ方向の調整＞
続いて、図５（ｂ）に示すとおり、長さ方向におけるクリアランスの調整は、比較的大きなサイズの飲料容器１５１Ａ及び比較的小さなサイズの飲料容器１５１Ｂ共に同様であり、当該飲料容器１５１Ａ（１５１Ｂ）をケース３の中空層２１に挿入した場合、中空層２１に備えられた弾性部材１７が反発力を発生しつつ飲料容器１５１Ａ（１５１Ｂ）の容器底部１５５Ａ（１５５Ｂ）を押圧して上方に押し上げることにより、弾性部材１７の上端と、天板５Ａの下端と、の間において固定することが可能となる。
【００４５】
上述のとおり、本実施形態の飲料容器保温具１は、所定のサイズ範囲におけるペットボトル等の飲料容器１５１と、中空層２１と、のクリアランスを個別に調節して該中空層２１に飲料容器１５１を固定することが可能であり、さらに本飲料容器保温具１に挿入された飲料容器１５１はケース３に備えられた断熱層１５により保温することができる。
【００４６】
以上、本発明の一実施形態について図面を参照しつつ説明してきたが、本発明は、これらの実施形態に限定されるものではなく、特許請求の範囲の記載の精神及び教示を逸脱しない範囲でその他の改良例や変形例が存在する。そして、かかる改良例や変形例は全て本発明の技術的範囲に含まれることは、当業者にとっては容易に理解されるところである。
【００４７】
例えば、上記実施形態においては、ケース３の内部における中空層２１には、該中空層２１に挿入した飲料容器１５１を把持するための複数の突起部（リブ）１３が、ケース側壁３Ａの中空層２１側において同じ高さに３つ以上が所定の間隔で備わっている態様について説明した。本発明はこれに限定されるものではない。突起部１３の数、位置及び形状は、本発明の効果を損なわない範囲で適宜設定することが可能である。
【００４８】
また、例えば、突起部１３は丸い突起部であっても四角い突起部であってもよく、また、線状の突起部であってもよい。また、ケース３を構成する金属材料又は樹脂材料等を成形して突起部１３を形成してもよく、また、別途の部品として突起部１３を設置してもよい。別途の部品としての突起部１３としては、例えば、金属材料、樹脂材料、硬質ゴム材料等のゴム材料等、種々の材料を使用することができる。
【産業上の利用可能性】
【００４９】
本実施形態の飲料容器保温具１は、所定のサイズ範囲におけるペットボトル等の飲料容器１５１に応じて中空層２１のクリアランスを調節しつつ当該飲料容器１５１を固定し、さらにケース３に備えられた断熱層１５により飲料容器１５１を保温することができる。使用者は、飲料容器１５１から保温機能付き水筒等に内部の飲料を移し替える手間を省き、飲料容器１５１のサイズに限定されることなく当該飲料容器１５１そのものを本飲料容器用保温具１に挿入して保温することが可能である。
【符号の説明】
【００５０】
１        飲料容器保温具
３        ケース
３Ａ      ケース側壁
３Ｂ      底部
５        蓋
５Ａ      天板
５Ｂ      側壁
１１      開口
１３      突起部
１５      断熱層
１７      弾性部材
１９      窓部
２１      中空層
２３      中空部
３１      螺子嵌合部
３１Ａ    ケース側螺子
３１Ｂ    蓋側螺子
１５１    飲料容器
１５１Ａ  飲料容器
１５１Ｂ  飲料容器
１５３    容器上方部
１５５    容器底部
１５５Ａ  容器底部
１５５Ｂ  容器底部
【図１】
2018000773.tif 000003
【図２】
2018000773.tif 000004
【図３】
2018000773.tif 000005
【図４】
2018000773.tif 000006
【図５】
2018000773.tif 000007
【手続補正書】
【提出日】平成28年11月21日(2016.11.21)
【手続補正１】
【補正対象書類名】特許請求の範囲
【補正対象項目名】全文
【補正方法】変更
【補正の内容】
【特許請求の範囲】
【請求項１】
上端部に開口を有し、下端部に底部を含み、断熱構造を有する略筒状のケースと、
窓部を有する天板及び略筒状の側壁を含み、前記ケースに脱着可能な蓋と、を具備し、
前記開口から前記ケースの内部に挿入した飲料容器を、前記飲料容器の容器上方部が前記窓部から外部に出た状態で保持することができ、
前記ケースの底部内側に、前記飲料容器に対して下方から上方に弾性力を印加するスプリング又はバネを具備すること、
を特徴とする飲料容器保温具。
【請求項２】
前記ケースの側壁内側に、前記飲料容器に対して側面から押圧する突起部を具備すること、
を特徴とする請求項１に記載の飲料容器保温具。